(57)【要約】      （修正有）【課題】上部の蓋を開放しなくても、一側面のみを開放して、中身を側部からも取り出すことができるようにした通い箱を提供する。【解決手段】底部２と、前後左右の側部３〜６と、上蓋部７からなる直方体状の容器である。前記前後左右の側部のつなぎ目がスライドファスナ８のスライダー８１の上げ下げにより開閉可能となっている。内側に務歯８２が露出しないように務歯に沿って務歯を覆う保護布片を設けるのが好ましい。【選択図】図３
2009298433.tif 000002
【特許請求の範囲】
【請求項１】
底部（２）と、前後左右の側部（３〜６）と、上蓋部（７）からなる直方体状の容器であって、前記前後左右の側部（３〜６）のつなぎ目がファスナにより開閉可能となっていることを特徴とする通い箱。
【請求項２】
前記ファスナが、スライドファスナ（８）、スナップボタン、面ファスナの何れかである請求項１記載の通い箱。
【請求項３】
前記底部（２）と、前記前後左右の側部（３〜６）と、前記上蓋部（７）の各面は、表面を布で被覆した厚紙・段ボール・合成樹脂・木材のいずれかの薄板で形成されている請求項１又は２に記載の通い箱。
【請求項４】
前記ファスナがスライドファスナ（８）であるとき、内側に務歯（８２）が露出しないように務歯に沿って務歯を覆う保護布片（８３）が設けられている請求項２又は３の何れかに記載の通い箱。
【発明の詳細な説明】
【技術分野】
【０００１】
本発明は、物品を包装し，目的地まで搬送するための容器であって、用済みになれば折り畳んで返送し、再利用することを可能にした、いわゆる通い箱に関する。
【背景技術】
【０００２】
現在、物品の収納と搬送には紙段ボール箱が多用されている。紙段ボール箱は軽量、安価であることから一回限りの搬送容器として使用されているが、各種資源の再利用が一般化するのに伴い、この紙段ボール箱も通い箱として複数回の使用することがある。しかし、紙段ボール箱の通い箱は強度が不足して耐久性に問題があり、また、折畳んだとしても嵩張ることが問題であった。
【０００３】
この紙段ボール箱に代わるものとして、下記特許文献に記載のようなプラスチック製の容器や布製容器も通い箱として使用されるようになっている。
【特許文献１】特開２００５−１６２２５５公報
【特許文献２】実用新案登録第３１１５３２２号公報
【発明の開示】
【発明が解決しようとする課題】
【０００４】
従来の通い箱による内容物の取り出しは、通常、上部の蓋を開放することにより行う。用済みとなれば、側部の折り目に従って折り畳むことに容積を小さくする。
【０００５】
本発明では、従来の通い箱と同様に使用することもできるが、上部の蓋を開放しなくても、一側面のみを開放して、側部からも中身を取り出すようなこともできるようにした通い箱を提供することを目的とする。
【課題を解決するための手段】
【０００６】
本発明の通い箱は、底部と、前後左右の側部と、上蓋部からなる直方体状の容器であって、前記前後左右の側部のつなぎ目がファスナにより開閉可能となっていることを特徴とする。
【発明の効果】
【０００７】
本発明によれば、前後左右の側部のつなぎ目がファスナにより開閉可能であるので、例えば、右側部だけを開放するというような使用の仕方が可能である。
【発明を実施するための最良の形態】
【０００８】
ファスナとしては、スライドファスナ、スナップボタン、面ファスナを使用することができる。その他、一時的に開閉できるファスナは全て使用可能である。
【０００９】
通い箱の各面は、表面を布で被覆した厚紙・段ボール・合成樹脂や木材の薄板で形成することが好ましい。運搬や繰り返しの使用に耐えられる強度を持たせると共に、スライドファスナーやスナップボタンを取り付ける必要があるためである。
【００１０】
ファスナがスライドファスナであるとき、務歯が内部に露出するのは内容物を傷つける原因になるので、なるべく避けるべきである。そのため、通い箱の内側では、務歯が露出しないように務歯に沿って保護布片を設けることが好ましい。通い箱の外側には務歯が露出しても構わないが、同じように保護布片で覆うこともできる。
【実施例１】
【００１１】
以下、添付の図面に基づき本発明の実施例を説明する。
【００１２】
図１は、本発明第１実施例に係る通い箱１の完成状態における斜視図である。底部２（図３〜５）と、前後左右側面３〜６と、上蓋７及び上蓋の延長部７１からなる直方体状である。延長部７１には面ファスナー７２があり、側部の対応面ファスナー３１（図２）と係合させることにより、上蓋７を閉じることができる。右側面５には、内容物、製造元等の表示部５３がある。
【００１３】
図２は、上蓋７を持ち上げた状態の斜視図である。左右側部５，６の上端には荷物固定用の延長片５１，６１が延びており、その先端には互いに係合可能な面ファスナー５２，６２が取り付けられている。これにより、荷物を入れた後で、この延長片同士を接着させることにより、荷物のぐらつきを防止することができる。
【００１４】
図３は、さらに分解を進めた状態の斜視図である。この図から分かるように、前後左右の側面３〜６をつなぎ合わせているのはスライドファスナ８である。スライダー８１を持ち上げることにより、隣接する側面同士が結合され、スライダー８１を下げることにより、隣接する側面同士の結合が解除される。このことは、上蓋を開放しなくても、側部の一側面のみを単独で開放させ、そこから中身を取り出すことができることを意味し、本実施例の重要な特徴の一つである。
【００１５】
図４、図５の状態では、解体が終わり、平面上となっている。図４は通い箱の外部の展開図であり、図５は内部の展開図である。図４ではスライドファスナの務歯８２が見えるが、図５では、保護布片８３に隠れて務歯８２は見えない。すなわち、組み立てた状態では、内部に務歯８２は現れない。このことは、内部収容物を務歯により傷つけることがないということを意味し、本実施例の重要な特徴の一つである。
【００１６】
用済みの通い箱は、図４、図５の状態から、さらに折り畳まれる。折り畳み方法は、図６（ａ）〜（ｆ）に示す通りである。まず、（ａ）の状態から、（ｂ）（ｃ）のように固定用延長片５１，６１を内側に折り畳み、次に（ｄ）のように前部３を内側に折り畳み、次に（ｅ）のように上蓋７を内側に折り畳み、最後に（ｆ）のように上蓋の延長部７１を内側に畳んで完成である。
【図面の簡単な説明】
【００１７】
【図１】本発明第１実施例に係る通い箱の完成状態における斜視図である。
【図２】蓋を持ち上げた状態の斜視図である。
【図３】さらに分解を進めた状態の斜視図である。
【図４】通い箱の外部の展開図である。
【図５】通い箱の内部の展開図である。
【図６】（ａ）〜（ｆ）は用済みの通い箱の折り畳み方法を示す斜視図である。
【符号の説明】
【００１８】
１     通い箱
２     底部
３     前部
３１   面ファスナー
５     右側面
５１   延長片
５２   面ファスナー
５３   表示部
６     左側部
６１   延長片
６２   面ファスナー
７     上蓋
７１   延長部
７２   面ファスナー
８     スライドファスナ
８１   スライダー
８２   務歯
８３   保護布片
【図１】
2009298433.tif 000003
【図２】
2009298433.tif 000004
【図３】
2009298433.tif 000005
【図４】
2009298433.tif 000006
【図５】
2009298433.tif 000007
【図６】
2009298433.tif 000008